(57)【要約】      （修正有）【課題】電解液の注液を容易にし、かつ、液絡を防止する蓄電デバイスを提供する。【解決手段】正極および負極のいずれか一方の第１電極と、いずれか他方の第２電極と、セパレータとを具備する複数の電極群１１を備え、複数の電極群１１は区画されていて、複数の電極群１１の間は、流体が流通可能である一方、複数の電極群１１の間に、撥水手段３１を備える、蓄電デバイスにおいて撥水手段３１により複数の電極群１１間の液絡を防止し、バイポーラ構造３０を用いることにより、小型化を図った蓄電デバイス。【選択図】図３
2018206659.tif 000002
【特許請求の範囲】
【請求項１】
正極および負極のいずれか一方の第１電極と、いずれか他方の第２電極と、セパレータと電解液とを具備する複数の電極群を備え、
前記複数の電極群は区画されていて、
前記複数の電極群の間は、流体が流通可能である一方、
前記複数の電極群の間に、撥水手段を備える、蓄電デバイス。
【請求項２】
前記電極群を貫通する、筒状の集電部を備え、
前記集電部は、孔の開いた底を有する、
請求項１に記載の蓄電デバイス。
【請求項３】
前記撥水手段は、前記集電部又は該集電部の下方に配される撥水シートである、
請求項２に記載の蓄電デバイス。
【請求項４】
前記撥水手段は、前記集電部になされた撥水加工である、
請求項３に記載の蓄電デバイス。
【請求項５】
前記集電部の筒状の内側が、真空又は気体で満たされている、
請求項２乃至４のいずれか１項に記載の蓄電デバイス。
【請求項６】
前記気体が水素である、
請求項５に記載の蓄電デバイス。
【請求項７】
前記複数の電極群が配される有底の筒状の導電体であって、底部が下方に突き出た突出部を有する導電体を複数備え、前記突出部が前記集電部である、
請求項２乃至６のいずれか１項に記載の蓄電デバイス。
【請求項８】
隣り合う第１導電体と第２導電体において、
第２導電体が、第１導電体の上方に配され、
第２導電体の突出部が、第１導電体の筒部に囲われていて、
前記第２導電体の突出部と、前記第１導電体の筒部との間の空間に、第１電極群が存在する、請求項７に記載の蓄電デバイス。
【請求項９】
前記電極群は、正極および負極のいずれか一方の第１電極と、いずれか他方の第２電極と、第１電極と第２電極の間に介在するセパレータと、を備え、
前記第１電極と前記第１導電体の筒部が接触し、前記第２電極と前記第２導電体の突出部が接触している、
請求項８に記載の蓄電デバイス。
【請求項１０】
前記第２導電体の底部と、前記第１導電体の筒部が、接触していない、
請求項８又は９に記載の蓄電デバイス。
【請求項１１】
前記第２導電体の底部と、前記第１導電体の筒部の間に、絶縁部材を備える、
請求項１０に記載の蓄電デバイス。
【発明の詳細な説明】
【技術分野】
【０００１】
本発明は、蓄電デバイスの構造に関する。
【背景技術】
【０００２】
蓄電デバイスは、電池やキャパシタに代表される電気を蓄積するデバイスである。キャパシタとはコンデンサのことで、電気二重層キャパシタが代表的ある。電池にはアルカリ電池やリチウムイオン電池などがある。また、電池の構造としては、モノポーラ型、バイポーラ型などがある。バイポーラ型の電池とは、集電体の一方の面に正極が形成され、他方の面に負極が形成された構造の電池である。
【０００３】
バイポーラ型の電池は、高電圧化、部品点数の低減、単セル同士の電気抵抗の低減、不要空間の削減による高エネルギー密度化などが比較的容易なことから、電気自動車や各種電子機器の電源として広く用いられている。
【０００４】
特許文献１には、電解質層に高分子ゲル電解質や液体電解質を用いてなる電池において、電解質部分からの電解液の染み出しによる液絡（短絡）を防止するために、電解質層を保持するセパレータの外周部に成型配置されたシール用の樹脂を備えるバイポーラ電池が開示されている。
【０００５】
特許文献２には、非水電解液を用いた電池において、エチレン性二重結合およびエポキシ基を同一分子内に含む化合物を用いてグラフト変性した変性ポリオレフィン系樹脂を含有するシール材を採用することにより、電解液の染み出しのないシール性に優れたバイポーラ電極を提供することが開示されている。
【０００６】
電池要素を樹脂で被覆しているので、電池内部で発生する熱の外部への伝達性が低下するという問題がある。これに対して、特許文献３に記載の電池では、電池の被覆材として高い電気抵抗を有し、熱伝達性の優れた材質としてセラミックを用いることにより、電池内部で発生する熱を外部へ効率的に放散させることが可能となる二次電池が提案されている。
【０００７】
アルカリ二次電池の正極活物質として使用されている水酸化ニッケルおよび二酸化マンガンは、金属酸化物であり、極めて電導度が低い。この問題を解決するために、例えば、特許文献４には、水酸化ニッケルに高次コバルト酸化物を導電剤として添加した活物質が開示されている。この活物質を用いれば、水酸化ニッケル粒子間に高次コバルト酸化物による導電性のネットワークが形成されるため、水酸化ニッケル粒子全体で充放電反応が進行しやすく、高容量化を達成することができる。
【先行技術文献】
【特許文献】
【０００８】
【特許文献１】特開２０１１−１５１０１６号公報
【特許文献２】特開２０１３−０３７９４６号公報
【特許文献３】特開２００８−１８６５９５号公報
【特許文献４】特開平１１−９７００８号公報
【発明の概要】
【発明が解決しようとする課題】
【０００９】
電池には、正極、負極および電解液からなる単電池が複数組み合わされて構成された電池があり、これを一般的に組電池と称されている。このような組電池において、各単電池の電解液が液漏れすると、各単電池間の電極同士が電気的に接続される液絡が生じて、電池としての能力が大きく低下するという課題がある。そのため、複数の単電池が組み合わされた組電池では、液絡を防止すべく、単電池−単電池間の電解液が共有化しないように、密閉化された単電池が用いられている。したがって、組電池においては、単電池の数だけ電解液の注液工程が必要など、電解液の注液に時間がかかるという課題がある。
【００１０】
また従来の組電池においては、単電池間を配線等の接続部を介して電気的に接続しているので、配線である接続部において電気抵抗が生じるため、出力の低下を招く。また、組電池の小型化を考えると、接続部や密閉化するための部材、例えば蓋等の電気発生とは直接関係のない部材があることにより、組電池の出力密度やエネルギー密度を低下させている。また、部品点数の多いことは、組立に要する工数が増えることになる。
【００１１】
また、一般に二次電池やキャパシタは高出力特性が求められる。高出力すなわち高い充放電レートで充放電を行えば二次電池の内部温度が上昇して高温度になり、電極の活物質が損傷を受ける。このため充放電レートは制限を受け、高出力化を困難にしている。
【００１２】
導電剤として高価な高次コバルト酸化物に代えて、黒鉛化炭素材料を導電剤として用いれば、充分な導電性を得られるが、黒鉛化炭素材料は耐食性が良くないために充放電を繰り返すと炭素材料が酸化劣化し、導電性が次第に低下する。また、充電時に正極で発生した酸素は、負極の水素吸蔵合金を酸化して、水素吸蔵能力を低下させる。
【００１３】
本発明の目的は、以上の事情に鑑みなされたものであって、液絡を防止する蓄電デバイスを提供することにある。また、別の目的は、電解液の注液を容易にした出力特性に優れた蓄電デバイスを提供することにある。
【課題を解決するための手段】
【００１４】
本発明に係る一の態様の蓄電デバイスは、正極および負極のいずれか一方の第１電極、いずれか他方の第２電極、セパレータ、電解液を具備する複数の電極群を備え、前記複数の電極群は区画されていて、前記複数の電極群の間は、流体が流通可能である一方、前記複数の電極群の間に、撥水手段を備える。
【００１５】
ここで、流体が流通可能とは、複数の電極群間において、液体や気体の流入・流出が可能であることをいう。また、例えば圧力条件など所定条件において流体が流通可能であって、別の条件において流体が流通不可である場合が含まれる。撥水手段とは、液体の流通を阻害する手段をいう。
【００１６】
この構成によれば、各電極群間において、気体が流通する一方、液体である電解液が流通せず、各電極群間の液絡を防止する。また、複数の電極群の間は、流体が流通可能である一方、撥水手段を備えているので、例えば、区画された１つの電極群から所定圧力で電解液を注液することで全ての電極群に電解液を行き渡らせ、注液後に常圧に戻すこと等により、その後は撥水手段によって電極群間の電解液の流入を抑止することが可能となる。
【００１７】
また、液絡は、各電極群間の電極が電解液により電気的に接続されて生じるところ、電極群間の電極同士が電解液を介してつながらなければ液絡は生じない。したがって、本発明にいう撥水手段は、各電極群間の電解液の流入を遮断することの他、液絡が生じない程度に電解液の流入・流出を抑制する手段が含まれる。
【００１８】
また、この蓄電デバイスは、前記電極群を貫通する筒状の集電部を備え、前記集電部は、孔の開いた底を有する。この構成によれば、集電部が筒状であるため、従来の中実の集電体と比較して、冷却性能が向上する。
【００１９】
また、この蓄電デバイスは、前記撥水手段が、前記集電部又は該集電部の下方に配される撥水シートである。また、前記撥水手段が、前記集電部になされた撥水加工であってもよい。また、撥水シートと撥水加工を併せて用いてもよい。ここで、撥水シートは、例えば微多孔膜またはポリオレフィンの不織布であり、一例としてポリエチレンまたはポリプロピレンである。
【００２０】
また、この蓄電デバイスは、前記集電部の筒状の内側が、真空又は気体で満たされている。この構成によれば、集電部の筒状の内側の空間が真空又は気体で満たされている、すなわち、この空間が電解液などの液体で満たされていないことにより、冷却性能がより向上する。また、この空間が気体で満たされていれば、各電極群間の電解液の流入を抑止する。
【００２１】
また、この蓄電デバイスは、前記気体が水素である。この構成によれば、蓄電デバイスの内部に水素が存在し、内部で発生する酸素が水素と結合して水となるので、正極に含まれる導電剤等が酸化されず、蓄電デバイスの劣化を抑制する。
【００２２】
また、この蓄電デバイスは、前記複数の電極群が配される有底の筒状の導電体であって、底部が下方に突き出た突出部を有する導電体を複数備え、前記突出部が前記集電部である。また、この蓄電デバイスは、隣り合う第１導電体と第２導電体において、第２導電体が、第１導電体の上方に配され、第２導電体の突出部が、第１導電体の筒部に囲われていて、前記第２導電体の突出部と、前記第１導電体の筒部との間の空間に、第１電極群が存在する。
【００２３】
ここで、導電体と電極群により構成される１つの蓄電デバイス（以下この１つの蓄電デバイスを「セル」と称する場合がある）を複数接続する場合、これらを接続する配線が存在しないため、配線の電気抵抗による出力の低下がない。また、配線やセルの蓋等が不要なので、蓄電デバイス全体の小型化を図ることができ、高容量化が期待できる。
【００２４】
さらに、エネルギー密度が向上して高出力化が期待できる。また、部品点数が減り組立工数の低減を図ることができる。また、各セルは配線より断面積の大きな集電体としての機能を有する導電体（以下「集電体」と称する場合がある）により接続されているため、電気抵抗が小さく、高出力化を図ることができる。また、オーム損失が小さい。
【００２５】
また、この蓄電デバイスは、前記電極群は、正極および負極のいずれか一方の第１電極と、いずれか他方の第２電極と、第１電極と第２電極の間に介在するセパレータと、を備え、前記第１電極と前記第１導電体の筒部が接触し、前記第２電極と前記第２導電体の突出部が接触している。この構成によれば、充放電により電極で発生する熱は、集電体を介して速やかに外部に伝えられるので、各セル及び蓄電デバイス全体の内部温度の上昇が制限されて、高出力化が可能となる。
【００２６】
また、この蓄電デバイスは、前記第２導電体の底部と、前記第１導電体の筒部が、接触していない。また、この蓄電デバイスは、前記第２導電体の底部と、前記第１導電体の筒部の間に、絶縁部材を備える。この構成によれば、第１導電体と第２導電体とを絶縁でき、絶縁部材を用いればより確実に絶縁できる。
【発明の効果】
【００２７】
本発明によれば、液絡を防止することができる、また、電解液の注入が容易となる。また、特別な構造の導電体を採用することにより、蓄電デバイスの高出力化、高容量化を可能にする。
【図面の簡単な説明】
【００２８】
【図１Ａ】集電体の平面図である。
【図１Ｂ】集電体の側面図であって左右幅方向の中心を通る前後方向の部分断面図である。
【図２Ａ】バイポーラ電池の構成要素を示す平面図である。
【図２Ｂ】バイポーラ電池の構成要素を示す軸方向断側面図である。
【図３】５セルからなるバイポーラ電池の軸方向断側面図である。
【図４Ａ】バイポーラ電池の組電池の組立断面図（側面）である。
【図４Ｂ】バイポーラ電池の組電池の組立断面図（平面）である。
【図５】バイポーラ電池の両端部の拡大図である。
【図６】組電池における配管を説明するための図面である。
【図７】バイポーラ電池の接続方法を説明するための図面である。
【図８Ａ】バイポーラ電池の接続方法を説明するための別の図面である。
【図８Ｂ】バイポーラ電池の接続方法を説明するための別の図面である。
【図９】集電体の側面の部分断面図である。
【図１０】５セルからなるバイポーラ電池の軸方向断側面図である。
【図１１Ａ】突出部が撥水加工された集電体の側面の断面図である。
【図１１Ｂ】突出部の内部に突辺を備える集電体の側面の断面図である。
【図１１Ｃ】突出部の内部に突辺と撥水シートを備える集電体の側面の断面図である。
【図１１Ｄ】突出部の内部に凹凸を設けた集電体の側面の断面図である。
【発明を実施するための形態】
【００２９】
以下、本発明に係る一実施形態を説明するが、本発明は下記実施形態に限定されるものではない。特に、本実施形態は、バイポーラ型の二次電池を例に説明するが、本発明はバイポーラ型以外の電池やキャパシタなど、その他の蓄電デバイスに適用してもよい。
【００３０】
＜二次電池材料＞
本発明の各実施形態について説明するのに先立ち、本発明が適用される二次電池としてニッケル水素電池を例に取り説明する。なお、二次電池のタイプはこれに限定されるものでなく、二酸化マンガン電池、リチウムイオン電池、ニッケル亜鉛電池等の二次電池であってもよい。なお説明の都合上、第１電極を正極とし、第２電極を負極として説明する。
【００３１】
負極に用いる水素吸蔵合金として、希土類系合金であるＡＢ５型、ラーベス相合金であるＡＢ２型、チタン−ジルコニウム系合金であるＡＢ型、マグネシウム系合金であるＡ２Ｂ型などの合金系が挙げられる。このうち、水素貯蔵容量、充放電特性、自己放電特性およびサイクル寿命特性の観点から、ＡＢ５型の希土類−ニッケル合金である、ＭｍＮｉＣｏＭｎＡｌのミッシュメタルを含んだ５元系合金であることが好ましい。
【００３２】
正極活物質は、アルカリ二次電池の正極用として利用可能なものであれば特に限定されるものではなく、水酸化ニッケルであってもよく、二酸化マンガンであってもよい。正極用の導電剤は、放電時に電解液に溶出することなく、かつ、水素で還元されにくい炭素材料であることが好ましい。
【００３３】
電解液の耐性と充電時における耐酸化性の観点から、アモルファスカーボンを用いることが好ましい。特に、ソフトカーボンを用いることが好ましい。ソフトカーボンとは、不活性雰囲気中で加熱処理を施した時、黒鉛構造−炭素原子が構成する六角網平面が規則性をもって積層した構造−が発達し易いカーボンのことであり、易黒鉛化性炭素とも言われる。なお、グラファイトとは、上記ソフトカーボンを黒鉛化したカーボンであり、黒鉛とも称される。
【００３４】
ソフトカーボンのうち、部分的にグラファイト化したカーボンが好ましい。なかでも、ソフトカーボンの表面部分がグラファイト化したものが好ましい。グラファイト化が進展したソフトカーボンは、劣化しやすい。グラファイト化が少ないと導電性がよくならない。グラファイト化の割合は、ソフトカーボン全体を１００ｗｔ．％とすると、１０〜９０ｗｔ．％が好ましく、２０〜６０ｗｔ．％が更に好ましい。上述のような炭素材料を用いた正極は、サイクル寿命特性に優れた二次電池を実現することができる。
【００３５】
正負極の電極基板は、電気伝導性が高く、電解液中の安定性と耐酸化性がよい観点から、Ｎｉが好ましく、具体的には、発泡ニッケル基板もしくはニッケルメッキ鋼板が好ましい。
【００３６】
正極活物質粉末、結着剤、および、導電性粉末を混合してペースト状に混練する。このペーストを、電極基板に塗布または充填し、乾燥させる。その後、ローラープレス等で電極基板を圧延することにより正極を作製した。
【００３７】
同様に負極は、水素吸蔵合金粉末、結着剤、および、導電性粉末を混合することによって、ペーストを調製する。このペーストを、電極基板に塗布または充填し、乾燥させる。その後、ローラープレス等で集電体を圧延することにより負極を作製した。
【００３８】
電解質は、水素を活物質とする電池で用いられるものであれば特に限定されないが、例えば、水酸化カリウム（ＫＯＨ）、水酸化リチウム（ＬｉＯＨ）、水酸化ナトリウム（ＮａＯＨ）などの塩を水に溶かしたものが好適である。電池の出力特性の観点から、電解液は水酸化カリウム水溶液であることが好ましい。
【００３９】
セパレータの形状としては、微多孔膜、織布、不織布、圧粉体が挙げられ、このうち、出力特性と作製コストの観点から不織布が好ましい。セパレータの材質としては、特に限定されないが、耐アルカリ性、耐酸化性、耐還元性を有することが好ましい。具体的にはポリオレフィン系繊維が好ましく、例えば、ポリプロピレンもしくはポリエチレンが好ましい。
【００４０】
ポリオレフィン系繊維は疎水性であるので、親水処理する必要がある。水素ガス雰囲気中で使用する場合は、フッ素ガス処理を施したセパレータが好ましい。また、金属酸化物をセパレータの表面に塗布もしくは被覆したセパレータが好ましい。
【００４１】
集電体の材質として、電気伝導性が高く、電解液中の安定性と耐酸化性の観点から、Ｎｉ材が好ましく、具体的にはニッケルメッキ鋼板を用いた。ニッケルメッキを施すことにより、集電体がセパレータに含まれる電解液により腐食されるのを防止する。
【００４２】
撥水手段は水をはじく性質を有しておればよく、その形状および形態は限定されない。本実施形態において用いた撥水シートはポリオレフィン系の不織布であって、ポリエチレンもしくはポリプロピレンである。もっとも、シート状でなくてもよく撥水剤を所定の箇所に塗布して実現してもよい。
【００４３】
＜第１実施形態＞
図１Ａに本発明の第１の実施形態に係るバイポーラ電池の集電体の平面図を、図１Ｂに側面の部分断面図を示す。図１Ｂは、図１Ａの平面図のＡ−Ａ線に沿った断面図である。集電体４は、ニッケルメッキ鋼板製の有底の円筒缶の底部を、円筒缶の軸方向外方に向かって突き出した突出部５を有している。したがって、集電体４は、円筒缶であった筒部６と、底を形成していた突出部５と、筒部６と突出部５とをつなぐ平坦な肩部８とを有する。
【００４４】
突出部５の頂部には穴７が設けられていて、集電体４で囲まれた空間と外部空間が、この穴を通じて連通するようになっている。筒部６と突出部５と穴７とは同心状の配置されている。本実施例では有底円筒缶を用いたが、楕円もしくは角形断面を有する筒状体であってもよい。集電体４の筒部６に繋がる開口部には筒部６から半径方向外方に広がる鍔部９が形成されている。鍔部９は冷却フィンとして作用するとともに後述する絶縁シート１４の座となり電池密閉のためのシールしろとしての機能を果たす。
【００４５】
図２Ａに本発明の第１の実施形態に係るバイポーラ電池の構成要素の平面図を、図２Ｂに図２Ａの平面図のＢ−Ｂ線に沿った断面図を示す。バイポーラ電池１０は、２つの集電体４と集電体４の内方に収納される１組の電極群１１とを主な構成要素として備えている。集電体４は図１に示したものを２つ用いてもよいが、よりコンパクトにするため、下側の集電体は筒部を有さない形態とした。ここで、筒部を有さない集電体を端部集電体４Ｔと称する。もっとも、集電体４と端部集電体４Ｔとを区別する必要がない場合、それらを総称して単に集電体４と称するものとする。
【００４６】
発電エレメントである電極群１１は、水素吸蔵合金を含む負極１と、正極活物質を含む正極２と、負極１と正極２の間に介在してイオンは透過するが電子を透過させないセパレータ３とで構成されている。電極群１１は、集電体４の軸方向に積層され集電体の内方に収納されている。そして、負極１、正極２およびセパレータ３の中央には、端部集電体４Ｔの突出部５が貫通する穴が設けられている。端部集電体４Ｔの突出部５は、正極２と負極１とセパレータ３とから構成される電極群１３の中央を、端部集電体４Ｔの軸方向に貫通している。
【００４７】
負極１および正極２の寸法と、集電体４の寸法との関係について説明する。負極１に設けられた穴の径は、端部集電体４Ｔの突出部の外径より小さい。したがって、負極の穴の周縁部は端部集電体４Ｔの突出部と接触して、負極１と端部集電体４Ｔは、電気的に接続されている。一方、正極２の中央に設けられた穴の径は、端部集電体４Ｔの突出部の外径より大きく、正極の穴の周縁部は端部集電体４Ｔの突出部と接触せず、正極２と端部集電体４Ｔは、電気的に絶縁されている。
【００４８】
負極１の外径は集電体４の筒部の内径よりも小さく、負極の外縁部と集電体４の筒部の内面は接触しておらず、負極と集電体４とは電気的に絶縁されている。一方、正極２の外径は集電体４の筒部の内径より大きく、正極２の外縁部は集電体４の筒部の内面と接触しており、正極２と集電体４とは電気的に接続されている。負極の穴の径は突出部の外径より少し小さく、正極２の外径は筒部の内径より少し大きい。
【００４９】
次に、負極１および正極２とセパレータ３の寸法との関係について説明する。セパレータ３の外縁が、正極２により覆われており、負極１の外縁が、セパレータ３により覆われている。そして、正極２の穴の周縁が、セパレータ３により覆われており、セパレータ３の穴の周縁が、負極１により覆われている。
【００５０】
すなわち、セパレータ３の外径は、負極１の外径より大きい。このため、負極１と正極２とは、集電体４の筒部６内周面近傍においてセパレータ３により完全に隔離されている。このため、電極が変形しても、正負の電極は互いに接触することがない。更に、セパレータ３に設けられた穴の径は、正極２に設けられた穴の径より小さい。このため、負極１と正極２とは、端部集電体４Ｔの突出部５の外周面近傍においてセパレータ３により完全に隔離されている。このため、電極が変形しても、正負の電極は互いに接触することがない。また、セパレータ３の外径は正極２の外径より小さい。このため、正極２と集電体４の筒部６の間にセパレータ３が介在することがない。更に、セパレータ３に設けられた穴の径は、負極１の中央に設けられた穴の径より大きい。このため、負極１と集電体４Ｔの突出部５の間にセパレータ３が介在することがない。
【００５１】
集電体４と端部集電体４Ｔは軸方向に同心となるように重ねられている。集電体の突出部５の高さは、集電体の筒部６の高さより小さく、上下の集電体４が中央付近においても接触することはない。更に、集電体４と端部集電体４Ｔの間に絶縁シート１４を配置して、上下の集電体の絶縁を図っている。絶縁シート１４としては、例えば、ポリプロピレン製のシートを用いることができる。
【００５２】
２つの集電体４，４Ｔとこれに囲まれた電極群１１が、１つのセル１５を構成する。このセルを２つの端子板１６、１７でサンドイッチして、ボルト２０で連結してナット２１で固定してバイポーラ電池１０とする。なお、ナットはダブルナットとなっている。ボルト２０はビニール製の絶縁チューブ２２で覆われているので、集電体４の鍔部９の周縁端部において集電体４とボルト２０が接触して電気的に短絡が生じることはなく、また、端子板１６，１７とボルト２０が接触して電気的に短絡が生じることはない。
【００５３】
集電体４と端部集電体４Ｔに囲まれた空間に水素貯蔵室１３が形成されており、外部から供給された水素ガスおよび電解液が電気分解することにより内部で発生する水素ガスを貯蔵することができる。本実施例の電池において、負極容量を正極容量よりも小さく設定すれば、過充電時に負極から発生する水素ガスはこの水素貯蔵室１３に貯えることができる。水素貯蔵室１３は電解液の液溜まりとしても機能する。なお、電解液は、セパレータ３にも保持されている。
【００５４】
水素貯蔵室１３に蓄えられた水素ガスは、電池内部で発生する酸素と結合して水となるので、正極２が酸化するのを防ぐ役割を果たし、正極２の寿命特性を改善するとともに負極１を充電することができる。
【００５５】
２つの集電体４、４Ｔが、バイポーラ電池１０の軸方向に同心状に、互いに接触することなく積み重ねられている。集電体４の突出部５は正極端子板１７の中央に設けた穴に嵌合しており、筒部６を有さない端部集電体４Ｔの肩部８’は負極端子板１６の上に配置されている。集電体４の肩部８が正極端子板１７に接触しており、集電体４と正極端子板１７とが電気的に接続されている。また、端部集電体４Ｔの肩部８’が負極集電板１６に接触しており、端部集電体４Ｔと負極集電板１６とが電気的に接続されている。
【００５６】
集電体４は正極２に接続されており、端部集電体４Ｔは負極１に接続されているので、正極端子板１７は正極端子を構成し、負極端子板１６は負極端子を構成する。左側のボルト２０ａと負極端子板１６の間には絶縁ワッシャー２３ａが介在しているので、ボルト２０ａと負極端子板１６は電気的に絶縁されている。一方、ボルト２０ａと正極端子板１７の間には金属製の平ワッシャー２４ａが介在しているので、ボルト２０ａと正極端子板１７は電気的に接続されている。よって、ボルト２０ａは正極端子を構成する。左側のナット２１ａの間に正極ケーブルを接続することができる。
【００５７】
右側のボルト２０ｂと正極端子板１７の間には絶縁ワッシャー２３ｂが介在しているので、ボルト２０ｂと正極端子板１７は電気的に絶縁されている。一方、ボルト２０ｂと負極端子板１６の間には金属製の平ワッシャー２４ｂが介在しているので、ボルト２０ｂと負極端子板１６は電気的に接続されている。よって、ボルト２０ｂは負極端子を構成する。右側のナット２１ｂの間に負極ケーブルを接続することができる。なお、絶縁ワッシャーは絶縁性を有しておればよく、本実施例ではポリプロピレン製のものを用いた。
【００５８】
４本のボルト２０の左側の一対のボルト２０ａを正極端子とし、右側の一対のボルト２０ｂを負極端子としたが、４本のうち３本を負極端子とし、残りの１本を正極端子としてもよく、また、４本のうち３本を正極端子とし、残りの１本を負極端子としてもよい。
【００５９】
集電体４の穴７にはマイクロカプラ２６が取り付け可能になっていて、このマイクロカプラ２６を経由して、バイポーラ電池内の真空引きを行ったり、電解液を補充することができるようになっている。更に、マイクロカプラ２６を経由して、外部に設けた水素貯蔵源から水素ガスをバイポーラ電池内に供給することが可能となっている。負極端子板１６の底部にもマイクロカプラ２６を接続するための取付口２８が設けられている。
【００６０】
＜第２実施形態＞
図３に本発明の第２の実施形態に係るバイポーラ電池の軸方向断側面図を示す。図３に示すバイポーラ電池３０は５つのセルが直列に接続された電池となっている。図２Ｂに示した実施例１との相違点を中心に説明する。
【００６１】
図３において、左側のボルト２０ａが正極端子を構成し、右側のボルト２０ｂが負極端子を構成することは図２Ｂと同じであるが、ナット２１ｂが負極端子板１６側に配置されている点が異なっている。図２Ｂにおいては、負極ケーブルと正極ケーブルは同じ方向に取り出すようになっているのに対して、図３では負極ケーブルと正極ケーブルは反対方向に取り出すようになっている。電極ケーブルの取り出し方向は、組電池を構成するときに、電極ケーブルの取り回しの便の都合によって定める。
【００６２】
５つの集電体４−１〜５と一つの集電体４Ｔとが、バイポーラ電池３０の軸方向に同心状に、筒部６を上にして、互いに接触することなく積み重ねられている。各集電体４は絶縁シート１４により電気的に絶縁されている。一番上の集電体４−１の突出部５は正極端子板１７の中央に設けた穴に嵌合しており、一番下の端部集電体４Ｔの肩部８’は負極集電板１６の上に配置されている。筒部６を有さない端部集電体４Ｔを用いることにより、電池のデッドスペースをなくすことができて、電池容量を維持したまま容積を小さくすることができる。
【００６３】
複数の負極１と正極２および負極１と正極２の間に介在するセパレータ３を積層した電極群１１が、集電体４の内方に収納されている。２つの集電体４−１，４−２とこれに囲まれた電極群１１−１が、１つのセル１５−１を構成する。集電体４−１は、筒部６の内面が正極２に当接しているので正極集電体となり、集電体４−２は、突出部５が負極１に当接しているので負極集電体となる。
【００６４】
同様に、２つの集電体４−２，４−３とこれに囲まれた電極群１１−２が、セル１５−２を構成する。そして集電体４−２がセル１５−２の正極集電体となり、集電体４−３が負極集電体となる。以下同様に、集電体４−３，４−４とこれに囲まれた電極群１１−３が、セル１５−３を構成する。集電体４−４，４−５とこれに囲まれた電極群１１−４が、セル１５−４を構成する。集電体４−５，４Ｔとこれに囲まれた電極群１１−５が、セル１５−５を構成する。以上のように、バイポーラ電池３０はセル１５−１〜５が電気的に直列に接続された電池となる。
【００６５】
また、集電体４の突出部５の内方に、突出部５の断面を覆うように円盤状の撥水シート３１が配置されている。そして、撥水シート３１の位置を保持するための押え板３２を突出部５の内部に設けられている。撥水シート３１は、突出部５の穴７から所定の圧力で供給された電解液と水素ガスを通す。そして、常圧においては、撥水シート３１は微多孔を有しているので、各セルに供給された水素ガスは各セル間を流通可能である一方、水をはじく性質を有する撥水シート３１により電解液は通過せず各セルに区分された状態となり、電解液を介してセル間で液絡は生じない。
【００６６】
なお、本実施形態の撥水シート３１は、一例としてポリオレフィン系の不織布であって、ポリエチレンもしくはポリプロピレンである。また、撥水シート３１は、絶縁性を有するパッキンとしても作用する。なお、撥水シート３１は突出部５の内方になくてもよく、穴７と電極群１１の間にあればよく、例えば集電体４−２の穴７と集電体４−１の肩部の間にあってもよい。
【００６７】
そして、集電体４−１の頂部に設けた穴７にマイクロカプラ（図２Ｂ参照）を取り付けて、電解液をバイポーラ電池３０の内部に所定の圧力で注入する。注入された電解液は、集電体４に設けた穴７を経由して、各セル１５内部に行き渡る。電解液の注液作業を集約することができ、各セルごとに注液する必要がないので注液作業を簡素化することができる。
【００６８】
具体的には、集電体４−１の穴７から所定圧力で注入された電解液は、撥水シート３１を通過して、集電体４−１の突出部５内および集電体４−１と４−２の間から電極群１１−１に行き渡る。そして、集電体４−２の穴７から撥水シート３１を通過して、集電体４−２と４−３の間から電極群１１−２に行き渡り、以後同様にして、集電体４−１から４−５の内部に電解液が行き渡る。これは、電解液を常圧よりも高い所定圧力で注入することで、電解液が各撥水シート３１の微多孔を通過するためである。なお、電解液の注入は、下方の負極端子板１６側から行ってもよい。
【００６９】
そして、電解液が各集電体４−１乃至４−５の内部に行き渡った後、真空引きなどにより各集電体４−１乃至４−５の突出部内にある電解液を抜き取る。具体的には、集電体４−１の穴７にマイクロカプラを取り付け、真空ポンプを接続するなどして電解液を抜いていく。真空ポンプを作動させると電池内部に負圧がかかり、集電体４−１の突出部内の電解液が、撥水シート３１を通過して、バイポーラ電池３０の外部に排出される。また、同様にして、各集電体４−２乃至４−５の突出部内の電解液も、撥水シート３１を通過して、集電体４−１の穴７を通じて外部に排出される。
【００７０】
このとき、集電体４−１乃至４−５の各電極群１１が存在する領域の電解液もいくらか排出されるが、各電極群１１に浸透した電解液、特にセパレータに浸透した電解液が残存する。これにより、各電極群１１の領域に電解液が存在し、各集電体４−１乃至４−５の突出部内に電解液がない状態となる。なお、電解液の排出も、下方の負極端子板１６側から行ってもよい。
【００７１】
その後、集電体４−１の穴７から水素ガスを所定の圧力で注入する。そうすると、各集電体４−１から４−５の突出部内に水素ガスが行き渡る。このようにして、各集電体１４−１から４−５の電極群１１のある領域に電解液が存在し、突出部内には水素ガスが充満された状態となる。これにより、各集電体４−１乃至４−５の集電体の電極群１１のある領域の電解液は、突出部内の水素ガスの存在および撥水シート３１によって、他の集電体に流入せず、液絡を防止することができる。
【００７２】
本発明にいう撥水手段は撥水シートに限られない。撥水剤を適宜、適当な個所に塗布して実現してもよい。このような撥水手段は水をはじく性質を有しているので、電解液が撥水手段およびその近傍に留まることを阻害する。別な表現をすれば、特別な力が作用しない限り電解液が撥水手段を乗り越えて移動することはなく、この結果、電解液の流通を阻害する。すなわち、流体の行き来を抑制する。
【００７３】
次に、複数のバイポーラ電池を組み合わせた例を説明する。図４Ａは、バイポーラ電池の組電池４０の組立断側面図である。図４Ｂは、バイポーラ電池の組電池４０の組立平面図である。図４Ａにおいて、図を簡単化するために電極群の記載は省略してある。１つのバイポーラ電池は複数のセルから構成されており、５セルの場合は図３を用いて説明した。
【００７４】
組電池４０は５つのバイポーラ電池を樹脂製の電池ケース４１に収納して構成されており、外部に空冷用の冷却ファン４２が設けられている。冷却ファン４２は、外気から冷却用の空気を吸込み、バイポーラ電池の軸方向に直角の向きに冷却風を送る。電池ケース４１内に送込まれた冷却風は集電体４の筒部６外側面を通過して、接続金具４３により拡散されて隣のバイポーラ電池に流れる。接続金具４３により冷却風の流れが乱されるので冷却効果が高まる。
【００７５】
図５にバイポーラ電池の両端部の拡大断面図を示す。図を簡単にするためにバイポーラ電池の中間部の記載を省略してある。各セルは通しボルト４４ａ、４４ｂにより固定されている。通しボルト４４は図示しない絶縁チューブにおり覆われており、通しボルトを介して集電体同士が短絡を起こすことがないようになっている。
【００７６】
接続金具４３はナット４５（図４Ｂ参照）により、その両端において、通しボルト４４に固定されている。接続金具４３は、電気の良導体でできている。本実施例において接続金具にアルミニュームを用いた。アルミニュームは鉄より電気低抗が小さいので、接続金具４３は鉄製の通しボルト４４よりも小さなオーム損失で電気を外部に伝えることができる。
【００７７】
負極集電板１６と接続金具４３の間に絶縁部材４６ａを配置して、接続金具４３を介してバイポーラ電池が短絡しないようになっている。同様に、正極集電板１７と接続金具４３の間に絶縁部材４６ｂを配置して、接続金具４３を介してバイポーラ電池が短絡しないようになっている。通しボルト４４ａは正極端子となり、通しボルト４４ｂは負極端子となり、電池ケース４１に設けた穴から電気を取り出すことができる。
【００７８】
本実施形態に係る組電池は、各バイポーラ電池の内圧が所定の値、例えば１Ｍｐａに達すると、電池内のガスを外部に排出する安全弁を備えている。具体的には、図６に示すように、各バイポーラ電池の電池ケース４１に設けられた各ガス排出口５０が、各接続管５１を介して１つの集合管５２に接続されている。集合管５２の端部には安全弁５３が設けられていて、バイポーラ電池の内部圧力が規定値以上になると、安全弁５３が作動してバイポーラ電池の内部圧力を開放する。集合管５１に圧力計を配置してもよい。
【００７９】
図７、８は、バイポーラ電池の接続方法を説明するための図面である。図７は、４つのバイポーラ電池６１を直列に接続して組電池６０を構成した例である。隣接するバイポーラ電池６１の正極端子４４ａと負極端子４４ｂとを接続バー６２により直列に接続する。端部に位置するバイポーラ電池６１の２つの負極端子４４ｂは接続バー６３により接続して組電池６０の負極端子とする。他方の端部に位置するバイポーラ電池６１の２つの正極端子４４ａは接続バー６４により接続して組電池６０の正極端子とする。
【００８０】
図８に示す組電池６０’は、４つのバイポーラ電池６１’を並列に接続した場合の例である。バイポーラ電池６１’は、絶縁部材４６の装着位置を調整することにより、正極端子および負極端子を同じ方向に取り出し可能にしたものである。図８Ａは、隣接するバイポーラ電池６１’の負極端子４４ｂを接続バー６４により接続したものである。図８Ｂは、隣接するバイポーラ電池６１’の正極端子４４ａを接続バー６５により接続したものである。接続バー６４は組電池６０’の負極端子となり、接続バー６５は組電池６０’の正極端子となる。
【００８１】
電池反応で生じる酸素は、発生後直ちに電池内に封入された水素と結合して水となるので、電池内部に水素ガスを封入すれば、正極に含まれる導電助剤も酸化劣化することがない。また、水素吸蔵合金も、同様に酸化されることがないので劣化を防ぐことができる。電極の寿命特性が改善されて電池の長寿命化が期待できる。
【００８２】
＜第３実施形態＞
次に、上記の実施形態から集電体の構造を変更した第３の実施形態について説明する。なお、下記の説明において、便宜上、蓋部や底部などの表現を用いるが、これは上下方向を限定するものでなく、蓋部が下方に、底部が上方に位置する構成でもよい。
【００８３】
図９に第３の実施形態に係る集電体の側面の部分断面図を示し、図１０に５つのセルを組み合わせた電池の軸方向断側面図を示す。第３の実施形態に係る電池について、第１の実施形態との相違点を中心に説明する。第３の実施形態の電池１００と第１の実施形態の電池１０の主な相違点は集電体の構造である。第１の実施形態の集電体４が１つの部材で構成されているのに対し、第３の実施形態の集電体は、第１集電体１１０と第２集電体１２０の２つの部材で構成されている。
【００８４】
図９に示すように、第１集電体１１０は、ニッケルメッキ鋼板製の有底の円筒缶であり、底部１１１と、そこから立ち上がる筒部１１２を備える。第２集電体１２０は、蓋部１２１と、そこから立ち上がる突出部１２２を備える。
【００８５】
また、第１集電体１１０の底部１１１の中央には、穴１１３が設けられている。また、筒部１１２に繋がる開口部には筒部１１２から半径方向外方に広がる鍔部１１４が形成されている。また、第２集電体１２０の突出部１２２は底１２３を有し、穴１２４が設けられている。
【００８６】
そして、図１０に示すように、第１集電体１１０と第２集電体１２０が上下方向に組み合わされ、これらに挟まれる空間に電極群１３０が収納されて、１つのセル１４０を構成している。セル１４０において、第２集電体１２０の突出部１２２の底１２３と、第１集電体１１０の底部１１１との間には、撥水シート１３１が配されている。また、第２集電体１２０の蓋部１２１と、第１集電体の筒部１１２との間には、絶縁シート１３２が配されている。
【００８７】
そして、このセル１４０が複数積み重なって、電池１００が構成されている。電池１００は、５つのセル１４０が積み重ねられた例である。また、第１や第２の実施形態と同様に、各セル１４０は、負極端子板１０１と正極端子板１０２によって挟まれて構成されている。なお、本実施形態においては、負極端子板１０１と正極端子板１０２に同じ構造のものを用いている。また、各セル１４０の接続は、溶接により接続してもよく、溶接を用いず負極端子板１０１と正極端子板１０２との圧縮によるものでもよく、その他一般的な接続方法を用いてもよい。
【００８８】
そして、電池１００内に電解液を所定の圧力で注入して各セル１４０内部に電解液を行き渡らせ、その後電解液を引き抜いて各セル１４０の突出部１２２内にある電解液を抜き取る。そして、所定の圧力で水素ガスを所定の圧力で注入する。そうすると、各セル１４０の突出部１２２内に水素ガスが充満される。これにより、各セル１４０の筒部１１２には電解液が存在し、突出部１２２内には水素ガスが充満された状態となる。なお、筒部１１２の電解液は、突出部１２２内の水素ガスの存在や撥水シート１３１により、突出部１２２に流入せず、液絡を防止することができる。
【００８９】
＜その他の実施形態＞
以上のとおり、図面を参照しながら本発明の好適な実施形態を説明したが、本発明の趣旨を逸脱しない範囲内で、種々の追加、変更または削除が可能である。例えば、上記の実施形態を次のように変更してもよい。
【００９０】
上記の実施形態では、各セル間の電解液の流入を抑止する手段に撥水シートを用いているが、これにかえて、次のようにしてもよい。例えば、図１１Ａに示す集電体の突出部を撥水加工する手段を用いることができる。なお、図１１Ａに示すように、撥水加工は突出部の穴の付近に施すことが好ましい。電解液が流入する場合、この穴が入り口となるためである。これは、液体が撥水部分よりも親水部分に流れる性質を利用したものである。これにより、突出部の撥水加工と、突出部内の水素の存在によって、電解液の流入を抑え、各セル間の液絡を防止することができる。
【００９１】
その他、図１１Ｂに示す集電体の突出部に内部に突出する突辺を設ける手段を用いてもよい。この突辺に撥水加工を施せば、電解液の流入を抑制することができる。また、図１１Ｃに示すように、この突辺に撥水シートを配してもよい。また、図示しないが、この突辺を突出部の内側に複数設けてもよく、複数の突辺の開口をずらしてもよい。また、図１１Ｄに示す集電体の突出部の内部に凹凸を設ける手段を用いてもよい。
【産業上の利用可能性】
【００９２】
本発明に係る蓄電デバイスは、産業用のみならず民生用の蓄電装置として好適に用いることができる。
【符号の説明】
【００９３】
１  負極
２  正極
３  セパレータ
４  集電体、端部集電体４Ｔ
５  突出部
６  筒部
７  穴
８  肩部
９  鍔部
１０  バイポーラ電池
１１  電極群
１３  水素貯蔵室
１４  絶縁シート
１５  セル
１６  負極端子板
１７  正極端子板
１８  負極端子
１９  正極端子
２０  ボルト
２１  ナット
２２  絶縁チューブ
２３  絶縁ワッシャー
２４  平ワッシャー
２５  コンパクトナット
２６  マイクロカプラ
３０  バイポーラ電池
３１  撥水シート
３２  押え板
４０  組電池
４１  電池ケース
４２  冷却ファン
４３  接続金具
４４  通しボルト
４５  ナット
４６  絶縁部材
５０  ガス排出口
５１  集合管
５２  接続管
５３  安全弁
６０  組電池
６１  バイポーラ電池
１００  電池
１１０  第１集電体
１２０  第２集電体
１３１  撥水シート
１３２  絶縁シート
【図１Ａ】
2018206659.tif 000003
【図１Ｂ】
2018206659.tif 000004
【図２Ａ】
2018206659.tif 000005
【図２Ｂ】
2018206659.tif 000006
【図３】
2018206659.tif 000007
【図４Ａ】
2018206659.tif 000008
【図４Ｂ】
2018206659.tif 000009
【図５】
2018206659.tif 000010
【図６】
2018206659.tif 000011
【図７】
2018206659.tif 000012
【図８Ａ】
2018206659.tif 000013
【図８Ｂ】
2018206659.tif 000014
【図９】
2018206659.tif 000015
【図１０】
2018206659.tif 000016
【図１１Ａ】
2018206659.tif 000017
【図１１Ｂ】
2018206659.tif 000018
【図１１Ｃ】
2018206659.tif 000019
【図１１Ｄ】
2018206659.tif 000020
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
正極および負極のいずれか一方の第１電極と、いずれか他方の第２電極と、セパレータと、電解液とを具備する複数の電極群と複数の導電体とを備え、
前記複数の電極群の間は流体が流通可能である一方、前記複数の電極群の間に撥水手段を備え、
前記導電体は、底部と筒部と、該底部から該筒部と反対方向に突き出た突出部とを有し、
前記突出部は、有底の筒状であって底に孔が開いており、前記電極群を貫通して該電極群の集電部となっていて、
前記複数の導電体のうち隣り合う第１導電体と第２導電体において、第２導電体が第１導電体の上方に配され、第２導電体の突出部が第１導電体の筒部に囲われていて、前記第２導電体の突出部と前記第１導電体の筒部との間の空間に、第１電極群が存在し、
前記撥水手段が、前記集電部又は該集電部の下方に存在している、
蓄電デバイス。
【請求項２】
正極および負極のいずれか一方の第１電極と、いずれか他方の第２電極と、セパレータと、電解液とを具備する複数の電極群と複数の導電体とを備え、
前記複数の電極群の間は流体が流通可能である一方、前記複数の電極群の間に撥水手段を備え、
前記導電体は、有底の円筒缶であって底部と該底部から立ち上がる筒部とを具備する第１集電体と、蓋部と該蓋部から立ち上がる突出部とを具備する第２集電体とが組み合わされていて、
前記突出部は、有底の筒状であって底に孔が開いており、前記電極群を貫通して該電極群の集電部となっていて、
前記導電体において、第２集電体の突出部が第１集電体の筒部に囲われていて、前記第２集電体の突出部と前記第１集電体の筒部との間の空間に、前記電極群が存在し、
前記撥水手段が前記集電部又は該集電部の下方に存在している、
蓄電デバイス。
【請求項３】
前記撥水手段は、前記集電部又は該集電部の下方に配される撥水シートである、
請求項１又は２に記載の蓄電デバイス。
【請求項４】
前記撥水手段は、前記集電部になされた撥水加工である、
請求項１乃至３のいずれか１項に記載の蓄電デバイス。
【請求項５】
前記撥水手段は、前記集電部の突出部に、内部に突出する突辺を設ける手段、または、前記集電部の突出部の内部に凹凸を設ける手段である、
請求項１乃至４のいずれか１項に記載の蓄電デバイス。
【請求項６】
前記集電部の筒状の内側が、真空又は気体で満たされている、
請求項１乃至５のいずれか１項に記載の蓄電デバイス。
【請求項７】
前記気体が水素である、
請求項６に記載の蓄電デバイス。
【請求項８】
前記電極群は、正極および負極のいずれか一方の第１電極と、いずれか他方の第２電極と、第１電極と第２電極の間に介在するセパレータと、を備え、
前記第１電極と前記第１導電体の筒部が接触し、前記第２電極と前記第２導電体の突出部が接触している、
請求項１に記載の蓄電デバイス。
【請求項９】
前記第２導電体の底部と、前記第１導電体の筒部が、接触していない、
請求項１に記載の蓄電デバイス。
【請求項１０】
前記第２導電体の底部と、前記第１導電体の筒部の間に、絶縁部材を備える、
請求項１に記載の蓄電デバイス。